(57)【特許請求の範囲】
【請求項１】
高周波信号が入力される入力端子と、
前記高周波信号を分配する少なくとも１つの分配器と、
前記分配器で分配された各高周波信号がその信号入力部に入力されるまでの伝送経路長がそれぞれに異なる、複数の高周波処理回路と、
前記複数の各高周波処理回路の前段に設けられ、前記伝送経路長が短いほど大きな減衰量が設定された、複数の減衰器と、を備え、
前記複数の高周波処理回路の各信号入力部に入力される前記高周波信号の信号レベルを、前記分配器からの伝送経路長が最も長い高周波処理回路の信号入力部に入力される前記高周波信号の信号レベルに統一する
回路基板。
【請求項２】
前記複数の減衰器はアッテネータである
請求項１に記載の回路基板。
【請求項３】
前記複数の減衰器は、前記複数の高周波処理回路の前記信号入力部の近辺に配置される
請求項１又は２に記載の回路基板。
【請求項４】
前記入力端子に入力された前記高周波信号を増幅する高周波増幅器をさらに備えた
請求項１乃至３のいずれかに記載の回路基板。
【請求項５】
前記複数の高周波処理回路は、集積回路である
請求項１乃至４のいずれかに記載の回路基板。
【請求項６】
前記複数の高周波処理回路は、当該回路基板の長辺に沿って配置される
請求項１乃至５のいずれかに記載の回路基板。
【請求項７】
前記高周波処理回路の個数は少なくとも３つであり、前記分配器は、前記高周波増幅器から出力された前記高周波信号を分配する第１の分配器と、前記第１の分配器で分配された前記高周波信号をさらに分配する少なくとも１つの第２の分配器とを備える
請求項４乃至６に記載の回路基板。
【発明の詳細な説明】
【技術分野】
【０００１】
本開示は回路基板に関し、特に、複数の高周波処理回路が搭載された回路基板に関する。
【背景技術】
【０００２】
近年、高周波信号を受信する受信装置において、受信した高周波信号を処理する高周波処理回路を、複数個設けることが行われている。例えば、テレビジョン受像機では、高周波処理回路としてのチューナ部を複数個設けることにより、同じ放送形式あるいは異なる放送形式による複数の放送波を、同時に視聴あるいは同時に録画できるようになる。
【０００３】
このように、高周波処理回路を複数設ける場合には、高周波信号の入力端子からの距離が各高周波処理回路で異なると、各高周波処理回路に入力される高周波信号の信号レベルに差が生じてしまう。入力される高周波信号の信号レベルに差があると、各高周波処理回路でのノイズの受けやすさ（受けにくさ）にも差が生じてしまう。これにより、同じ回路基板上に配置された高周波処理回路であっても、高周波信号を受信できるものとそうでないものが出てくる等の問題が発生する。
【０００４】
各高周波処理回路と高周波信号の入力端子との距離を等距離にすれば、このような問題も発生しない。例えば、特許文献１には、２つのチューナ部を備えた受信装置において、それぞれのチューナ部を、入力端子からの距離がほぼ等距離となる位置に配置することが記載されている。
【先行技術文献】
【特許文献】
【０００５】
【特許文献１】特開２００２−１５２６１１号公報
【発明の概要】
【発明が解決しようとする課題】
【０００６】
一方で、高周波処理回路を搭載した装置に対する薄型化や小型化の要求が高まってきており、チューナ部が搭載されるチューナモジュールに対しても、薄型化や小型化が求められている。ところが、チューナモジュールを薄型化または小型化すると、殆どのケースにおいて、チューナ部の配置位置にも制約が生じてしまう。つまり、複数のチューナ部のそれぞれを、入力端子からの距離がほぼ等しくなる位置に配置することが、難しくなる。
【０００７】
本開示はかかる点に鑑みてなされたものであり、入力端子から各高周波処理回路までの距離が等距離でない場合にも、各高周波処理回路に入力される高周波信号の信号レベルを均一化することを目的とする。
【課題を解決するための手段】
【０００８】
上記課題を解決するために、本開示の回路基板は、入力端子と、少なくとも１つの分配器と、複数の高周波処理回路と、複数の減衰器とを備える構成とし、各部の構成及び機能を次のようにする。入力端子には、高周波信号が入力される。分配器は、入力端子に入力された高周波信号を分配する。複数の高周波処理回路は、分配器で分配された各高周波信号がその信号入力部に入力されるまでの伝送経路長がそれぞれに異なる。複数の減衰器は、複数の各高周波処理回路の前段に設けられる。そして、前記伝送経路長が短いほど大きな減衰量が設定される。
【０００９】
このように構成することで、入力端子からの距離が近い高周波処理回路に対しては、減衰器で大きく減衰された高周波信号が入力され、入力端子からの距離が遠い高周波処理回路に対しては、あまり減衰されていない、もしくは減衰されていない高周波信号が入力される。これにより、各高周波処理回路に入力される高周波信号の信号レベルが、入力端子から一番遠い位置に配置された、伝送損失の一番大きい高周波処理回路に入力される高周波信号の信号レベルと等しくなる。
【発明の効果】
【００１０】
本開示の回路基板によれば、入力端子から各高周波処理回路までの距離を等距離でない場合にも、各高周波処理回路に入力される高周波信号の信号レベルを均一化することができる。
【図面の簡単な説明】
【００１１】
【図１】本開示の一実施の形態による、３つの高周波処理回路が回路基板の長辺に沿って横方向に並べて配置される場合の回路基板の構成例を示す構成図である。
【図２】Ｎ個のアンプを直列接続した例を示す説明図である。
【図３】本開示の一実施の形態による、２つの高周波処理回路が回路基板の長辺に沿って横方向に並べて配置される場合の回路基板の構成例を示す構成図である。
【図４】本開示の一実施の形態による、３つの高周波処理回路が回路基板の短辺に沿って縦方向に並べて配置される場合の回路基板の構成例を示す構成図である。
【図５】本開示の一実施の形態による、３つの高周波処理回路が、アンテナ入力端子および出力端子を備えた回路基板の長辺に沿って、横方向に並べて配置される場合の回路基板の構成例を示す構成図である。
【図６】本開示の一実施の形態による、Ｎ個の高周波処理回路を、アンテナ入力端子を備えた回路基板の長辺に沿って横方向に並べて配置される場合の回路基板の構成例を示す構成図である。
【図７】本開示の一実施の形態による、Ｎ個の高周波処理回路を、アンテナ入力端子および出力端子を備えた回路基板の長辺に沿って、横方向に並べて配置される場合の回路基板の構成例を示す構成図である。
【図８】本開示の一実施の形態による、地上波デジタルテレビジョン放送の放送波を受信する３つの高周波処理回路と、衛星放送の放送波を受信する３つの高周波処理回路とを同一の回路基板上に配置した場合の構成例を示す構成図である。
【発明を実施するための形態】
【００１２】
以下に、本開示の一実施形態に係る回路基板の一例を、図面を参照しながら下記の順で説明する。
１．高周波処理回路としてのチューナ部が搭載された回路基板の構成例
２．各種変形例
【００１３】
＜１．高周波処理回路としてのチューナ部が搭載された回路基板の構成例＞
まず、本開示の一実施形態に係る回路基板について、図１を参照して説明する。図１は、高周波処理回路としてのチューナ部が搭載された回路基板の構成例を示す実装図である。図１に示す回路基板１０は、図示せぬ受信装置に搭載される。受信装置は、地上波デジタルテレビジョン放送の放送波（以下、「高周波信号」とも称する）を受信し、高周波信号に含まれる映像や音声に関する符号化データを復号する。そして、復号したデータを図示せぬ表示装置に送信したり、図示せぬ記録媒体に記録する。
【００１４】
図１には、受信装置を構成する様々な回路のうち、一般に「ＲＦフロントエンド」と称される高周波回路部のみを図示してある。なお、図１では受信装置が地上波デジタルテレビジョン放送の放送波を受信する場合を例にあげたが、衛星放送やケーブルテレビ放送等、他の放送波を受信可能に構成してもよい。
【００１５】
回路基板１０は、図示せぬアンテナ入力端子を構成するコネクタ部品の中心導体接続部がはめ込まれるスルーホール１１ａと、ローノイズアンプ（以下、ＬＮＡと称する）１２とを含む。また、分配器１３−１〜分配器１３−２と、減衰器としてのアッテネータ１４−１〜アッテネータ１４−３と、チューナ部１５−１〜チューナ部１５−３とを含む。
【００１６】
なお、図１では、ＰＬＬ回路やバラン等の、高周波回路部を構成する本開示の本質部分ではない他の回路については、図示を省略してある。また、以降の説明では、分配器１３−１〜分配器１３−２をそれぞれ区別する必要がない場合には、単に「分配器１３」と記載し、アッテネータ１４−１〜アッテネータ１４−３をそれぞれ区別する必要がない場合には、単に「アッテネータ１４」と記載する。また、チューナ部１５−１〜チューナ部１５−３をそれぞれ区別する必要がない場合には、単に「チューナ部１５」と記載する。また、信号入力部１５ａ−１〜信号入力部１５ａ−３をそれぞれ区別する必要がない場合には、単に「信号入力部１５ａ」と記載する。
【００１７】
スルーホール１１ａに接続されるアンテナ入力端子には、図示せぬアンテナが受信した地上波デジタルテレビジョン放送の放送波が入力される。ＬＮＡ１２は、アンテナ入力端子から入力された放送波（高周波信号）を増幅して後段に送り出す。ＬＮＡ１２のゲインは、次段以降の分配器１３による分配損失や、アッテネータ１４による減衰、伝送損失分を補える値に設定される。そして、その値（ゲイン）は、図示せぬＡＧＣ（Automatic Gain Control）のしくみによって自動的に調整される。
【００１８】
分配器１３−１は、ＬＮＡ１２から出力された高周波信号を２つに分配して出力する。つまり、チューナ部１５−１に入力させる信号と、チューナ部１５−２およびチューナ部１５−３に入力させる信号とに、高周波信号を２分配する。分配器１３−２は、分配器１３−１から出力された高周波信号を、チューナ部１５−２に入力させる信号と、チューナ部１５−３に入力させる信号とに２分配する。
【００１９】
アッテネータ１４−１は、分配器１３−１とチューナ部１５−１の間に配置され、チューナ部１５−１に入力する高周波信号を所定のレベルまで減衰させる。各アッテネータ１４としては、π型アッテネータやＴ型アッテネータを使用することができる。各アッテネータ１４の減衰量は、アッテネータ１４を構成する図示せぬ抵抗素子Ｒ１と抵抗素子Ｒ２の比率を変化させることにより調整する。
【００２０】
アッテネータ１４−２は、分配器１３−２とチューナ部１５−２の間に配置され、チューナ部１５−２に入力する高周波信号を所定のレベルまで減衰させる。アッテネータ１４−３は、分配器１３−２とチューナ部１５−３の間に配置され、チューナ部１５−３に入力される高周波信号を所定のレベルまで減衰させる。各アッテネータ１４に設定される減衰量は、各チューナ部１５の信号入力部１５ａに入力される高周波信号の信号レベルがすべて等しくなるように設定される。
【００２１】
チューナ部１５−１〜チューナ部１５−３は、図示せぬＢＰＦ（Band Pass Filter）やＡＧＣ（Automatic Gain Control）、局部発振器、周波数変換器等を備え、入力された高周波信号を増幅して、受信チャンネルと同じ周波数の信号を選択して出力する。本実施の形態では、各チューナ部１５をＩＣ（Integrated Circuit）チップとして構成している。
【００２２】
各チューナ部１５に入力される高周波信号の信号レベルは、回路基板１０上でのスルーホール１１ａ（アンテナ入力端子接続位置）からの距離が遠くなる程に大きく減衰する。つまり、アンテナ入力端子接続位置に一番近いところに配置されたチューナ部１５−１の信号入力部１５ａ−１に入力される高周波信号のレベルよりも、一番遠いところに配置されたチューナ部１５−３の信号入力部１５ａ−３に入力される高周波信号のレベルの方が低くなる。例えば、チューナ部１５−３は、アンテナ入力端子接続位置から遠い位置に配置されているため、ＬＮＡ１２で増幅された信号が伝送される伝送路の経路長も一番長くなる。これにより、伝送路を通過することにより生じる伝送損失も大きくなる。
【００２３】
このような信号レベルの差をなくすため、本開示の回路基板１０では、各チューナ部１５に入力させる高周波信号の信号レベルを、アンテナ入力端子接続位置から一番遠くに配置されたチューナ部１５−３に入力される信号レベルと同レベルに統一することを行う。
【００２４】
具体的には、アンテナ入力端子接続位置の一番近くに配置されたチューナ部１５−１の前段に配置されたアッテネータ１４−１には、大きな値の減衰量を設定する。また、アンテナ入力端子接続位置からの距離がチューナ部１５−１の次に近いチューナ部１５−２の前段に配置されたアッテネータ１４−２には、中程度の減衰量を設定する。アンテナ入力端子接続位置から一番遠い位置にあるチューナ部１５−３への入力信号を減衰するアッテネータ１４−３においては、減衰量はゼロとする。
【００２５】
減衰量をゼロとする手法としては、アッテネータ１４−３を構成する抵抗（図示略）をショートさせる手法等がある。あるいは、アンテナ入力端子接続位置から一番遠い位置にあるチューナ部１５−３には、アッテネータを設けずに直接信号を入力させるように構成してもよい。
【００２６】
このように、各アッテネータ１４の減衰量を調整することにより、各チューナ部１５の信号入力部１５ａに入力される高周波信号の信号レベルが、一番弱いレベルに統一される。すなわち、各チューナ部１５の信号入力部１５ａに入力される高周波信号の信号レベルを、すべて等しくすることができる。
【００２７】
各チューナ部１５に入力される信号のレベルは、各アッテネータ１４を通過することにより低くなる。しかし、分配器１３−１の前段にＬＮＡ１２を配置していることで、図１に示した高周波回路部全体のノイズフィギュア（以下、「ＮＦ」と称する）の悪化度合いを低く抑えることができる。より詳しくは、各チューナ部１５単体におけるＮＦよりも、高周波回路部全体のノイズフィギュアを良い値とすることができる。
【００２８】
高周波回路部全体のＮＦは、ＬＮＡ１２のゲインと、各分配器１３による分配損失と、各アッテネータ１４による減衰量と、伝送経路を通過することにより生ずる伝送損失に基づいて算出することができる。各分配器１３や各アッテネータ１４をマイナスゲインのアンプとみなすと、図１に示す高周波回路部は、ＬＮＡ１２と、各分配器１３と、各アッテネータ１４と、各チューナ部１５による４段のアンプとみなすことができる。
【００２９】
図２は、Ｎ段のアンプの各段のゲインとＮＦを示した図である。Ｇ１，Ｇ２，Ｇ３，ＧＮはゲインを示し、Ｆ１，Ｆ２，Ｆ３，ＦＮはＮＦを示す。Ｎ段のアンプのトータルのＮＦの真値Ｆは、下記の式１で表される。
Ｆ＝Ｆ１＋（Ｆ２−１）／Ｇ１＋（Ｆ３−１）／Ｇ１＊Ｇ２＋…＋（ＦＮ−１）／Ｇ１＊Ｇ２＊…＊ＧＮ−１  …（式１）
また、Ｎ段のアンプの全体におけるＮＦは、下記の式２のように［ｄＢ］で示される。
ＮＦ＝１０ｌｏｇ（Ｆ）  …（式２）
【００３０】
図１に示した構成における各段のゲインおよびＮＦは、一例として以下の値であるものとする。なお、以下において“ｄＢ”の後に続く括弧中の値は、真値を示す。
１段目：ＬＮＡ１２…Ｇ１＝１４ｄＢ（２５．１１），ＮＦ１＝２．５ｄＢ（１．７８）
２段目：分配器１３…Ｇ２＝−４ｄＢ（０．４０），ＮＦ２＝４ｄＢ（２．５１）
３段目：アッテネータ１４…Ｇ３＝−５ｄＢ（０．３２）、ＮＦ３＝５ｄＢ（３．１６）
４段目：チューナ部１５…ＮＦ４＝５ｄＢ（３．１６）
【００３１】
これらの値を、上述した式１に当てはめると、以下のようになる。
Ｆ（真値）＝ＮＦ１＋（ＮＦ２−１）／Ｇ１＋（ＮＦ３−１）／Ｇ１＊Ｇ２＋（ＮＦ４−１）／Ｇ１＊Ｇ２＊Ｇ３
＝１．７８＋（２．５１−１）／２５．１１＋（３．１６−１）／（２５．１１＊０．４０）＋（３．１６−１）／（２５．１１＊０．４＊０．３２）
＝１．７８＋０．０６＋０．２２＋０．６７
＝２．７３
【００３２】
そして、求められた“Ｆ＝２．７３”を上述した式２に代入すると、
ＮＦ＝１０ｌｏｇ２．７３＝４．３６ｄＢ
が算出される。
各チューナ部１５のＮＦは５ｄＢであるため、高周波回路部全体でのＮＦ（４．３６ｄＢ）の方が良い値となっている（ＮＦが改善している）ことがわかる。
【００３３】
このように、各アッテネータ１４の減衰量を調整することで、高周波回路部全体のＮＦを悪化させることなく、各チューナ部１５の信号入力部１５ａに入力される高周波信号の信号レベルを同一のレベルに統一することができる。これにより、各チューナ部１５を、アンテナ入力端子接続位置からの距離がそれぞれに異なるような位置に配置できるようになる。図１に示すように、各チューナ部１５を、回路基板１０の長辺に沿って横方向に並べて配置することも可能となる。このように配置した場合には、回路基板１０の短辺の長さを短くできるため、回路基板１０が実装される装置自体も小型にすることができる。
【００３４】
各チューナ部１５の配置は、図１に示したように、高周波信号が伝送される伝送経路に直線がなるべく多く含まれるような位置としている。伝送路のコーナー（曲がり角）の部分では、伝送される信号に強弱の差が生じたり、インピーダンスの乱れが生じる場合が多いためである。直線を多く含む配線レイアウトとすることで、このような問題の発生する確率を低く抑えることができる。図１の実装図では、各チューナ部１５を、回路基板１０の短辺の方向において互いに少しずつずらして配置している。このように配置することにより、各チューナ部１５に入力される高周波信号の伝送路において、直線を多く設けることができている。
【００３５】
また、図１に示した構成では、各アッテネータ１４を、各チューナ部１５の信号入力部１５ａにできるだけ近い位置に配置している。各アッテネータ１４は、入力された信号を定められたレベルまで減衰させて出力するため、各アッテネータ１４の出力端子（図示略）においては、信号レベルがすべて揃うようになる。そして、各アッテネータ１４から各チューナ部１５までをつなぐ配線の距離が短ければ、その信号レベルの変化も最小限となる。つまり、各チューナ部１５の信号入力部１５ａの位置で信号レベルを測定した場合の信号レベルが、各アッテネータ１４の出力端子におけるレベルとほぼ等しくなる。
【００３６】
信号入力部１５ａにおける高周波信号の信号レベルが、各チューナ部１５で異なる場合には、ＩＣチップとして構成された各チューナ部１５の動作点が、それぞれに異なってしまうことになる。各チューナ部１５の動作点が異なってしまうと、各チューナ部１５におけるノイズの受けやすさ（受けにくさ）も変わることになる。このような場合には、各チューナ部１５を個別に制御する必要があり、ソフトウェアによる制御が煩雑になってしまう。本開示の回路基板１０によれば、各チューナ部１５間におけるこのような特性差が生じなくなるため、特性差を解消するための複雑な制御も行わなくて済む。
【００３７】
また、上述した実施の形態では、各アッテネータ１４で減衰した高周波信号を各チューナ部１５に入力しているため、信号レベルが大きすぎる高周波信号が各チューナ部１５に入力されてしまうことがなくなる。信号レベルが大きく波形のひずんだ高周波信号が各チューナ部１５に入力された場合には、復調される信号の特性も悪化してしまう。また、各チューナ部１５に内蔵された図示せぬ発振器にも妨害信号が混入しやすくなり、発振器に妨害信号が混入した場合には、各チューナ部１５自体が妨害波の発信源となってしまう。各チューナ部１５から妨害波が発生した場合には、その妨害波は信号ラインに漏洩し、各チューナ部１５間で相互干渉が起きてしまう。つまり、各チューナ部１５間のアイソレーションがとれなくなる。上述した実施の形態によれば、このような問題の発生を低減することができる。
【００３８】
＜２．各種変形例＞
なお、上述した実施の形態では、チューナ部１５を３つ設けた例をあげたが、チューナ部１５の個数はこれに限定されるものではない。図３に示すように、チューナ部の数を２個としてもよい。なお、図３において図１と対応する箇所には同一の符号を付してあり、重複する説明は省略する。図３に示す構成では、チューナ部１５−１とチューナ部１５−２を回路基板１０の長辺に沿って横方向に並べて配置している。
【００３９】
図３において、チューナ部１５−１とチューナ部１５−２のいずれも、分配器１３−１で１回分配された高周波信号が入力されるが、チューナ部１５−１とチューナ部１５−２とでは、信号の伝送経路の長さが異なっている。このように配置した場合にも、アンテナ入力端子配置位置から近い方に配置されたアッテネータ１４−１において、信号を大きく減衰させることにより、チューナ部１５−１とチューナ部１５−２に入力される高周波信号の信号レベルを等しくすることができる。
【００４０】
また、上述した実施の形態では、各チューナ部１５を回路基板１０の長辺に沿って横方向に並べて配置した例をあげたが、これに限定されるものではない。図４に示すように、各チューナ部１５を、回路基板１０の短辺に沿って縦方向に並べて配置してもよい。図４において図１および図３と対応する箇所には同一の符号を付してあり、重複する説明は省略する。
【００４１】
図４に示す配置では、チューナ部１５−１には、分配器１３−１で１回分配された高周波信号が入力され、チューナ部１５−２およびチューナ部１５−３には、分配器１３−１と分配器１３−２によって２回分配された高周波信号が入力される。また、高周波信号の伝送路の長さも、チューナ部１５−１は短く、チューナ部１５−２はそれより少し長く、チューナ部１５−３はさらに長い。このように配置した場合にも、チューナ部１５−１およびチューナ部１５−２に入力される信号のレベルが、チューナ部１５−３に入力される信号のレベルと同レベルとなるように、アッテネータ１４−１と１４−２の減衰量を調整する。これにより、各チューナ部１５への入力信号レベルを統一することができる。
【００４２】
また、上述した実施の形態では、回路基板１０がアンテナ入力端子のみを有する構成としたが、高周波信号を出力する出力端子も備えるように構成してもよい。図５は、回路基板１０に、出力端子１６も設けた構成を示したものである。図５において、図１，図３〜図４に対応する箇所には同一の符号を付してあり、重複する説明は省略する。出力端子１６は、例えばブルーレイ（登録商標）ディスクレコーダやパーソナルコンピュータ、ゲーム端末等の他の端末に接続され、アンテナ入力端子１１より入力された高周波信号が出力される。
【００４３】
このため、図５に示した構成では、分配器を１段多く設けている。つまり、アンテナ入力端子１１から入力された高周波信号を、各チューナ部１５に供給する分と、出力端子１６から出力する分とに分配するための分配器１３−１を、ＬＮＡ１２の後段に新たに設けている。分配器１３−１としては、例えば、ループスルー機能を備えたスプリッタを使用する。
【００４４】
このように構成することにより、チューナ部１５−１には、分配器１３−１と分配器１３−２によって２回分配された信号が入力され、チューナ部１５−２およびチューナ部１５−３には、分配器１３−１〜１３−３によって３回分配された信号が入力される。また、分配器１３−１で分配後の高周波信号が伝送される伝送路の長さも、各チューナ部１５のアンテナ入力端子１１からの距離に応じた長さとなっており、それぞれに異なっている。このように配置した場合にも、チューナ部１５−１およびチューナ部１５−２に入力される信号のレベルが、チューナ部１５−３に入力される信号のレベルと同レベルとなるように、アッテネータ１４−１と１４−２の減衰量を調整する。これにより、各チューナ部１５への入力信号レベルを統一することができる。
【００４５】
また、上述した実施の形態では、チューナ部１５を２個または３個設けた例をあげたが、その他の個数であってもよい。図６には、チューナ部１５をＮ個設けた場合の構成を示してある。チューナ部１５の数をＮ個とすると、分配器１３およびアッテネータ１４は、それぞれ（Ｎ−１）個設ければよい。また、図７に示すように、チューナ部１５をＮ個備え、かつ、アンテナ入力端子１１だけでなく出力端子１６も備える構成としてもよい。
【００４６】
また、上述した実施の形態では、各チューナ部１５が地上波デジタルテレビジョン放送を受信する場合を例にあげたが、これに限定されるものではない。例えば衛星放送等の他の放送波を受信するチューナ部１５を設けてもよい。図８は、地上波デジタルテレビジョン放送を受信する地上波用チューナ部１５ｔ−１〜１５ｔ−３と、衛星放送用チューナ部１５ｓ−１〜１５ｓ−３とを１つの回路基板１０上に並列した構成を示した図である。
【００４７】
回路基板１０は、地上波デジタルテレビジョン放送の高周波信号が入力される地上波入力端子１１ｔと、衛星放送の高周波信号が入力される衛星放送入力端子１１ｓとを備える。地上波入力端子１１ｔから入力された高周波信号を伝送する信号ラインには、ＬＮＡ１２ｔが接続されており、ＬＮＡ１２ｔの後段には、地上波用チューナ部１５ｔ−１〜１５ｔ−３が、回路基板１０の長辺に沿って横方向に並べて配置されている。
【００４８】
そして、地上波用チューナ部１５ｔ−１には、分配器１３ｔ−１で１回分配されアッテネータ１４ｔ−１で減衰された高周波信号が入力され、地上波用チューナ部１５ｔ−２には、分配器１３ｔ−１および分配器１３ｔ−２で２回分配されてアッテネータ１４ｔ−２で減衰された高周波信号が入力される。地上波用チューナ部１５ｔ−３には、分配器１３ｔ−１および分配器１３ｔ−２で２回分配されてアッテネータ１４ｔ−３で減衰された高周波信号が入力される。
【００４９】
衛星放送入力端子１１ｓから入力された高周波信号を伝送する信号ラインには、ＬＮＡ１２ｓが接続されており、ＬＮＡ１２ｓの後段には、衛星放送用チューナ部１５ｓ−１〜１５ｓ−３が、回路基板１０の長辺に沿って横方向に並べて配置されている。
【００５０】
そして、衛星放送用チューナ部１５ｓ−１には、分配器１３ｓ−１で１回分配されアッテネータ１４ｓ−１で減衰された高周波信号が入力され、衛星放送用チューナ部１５ｓ−２には、分配器１３ｓ−１および分配器１３ｓ−２で２回分配されてアッテネータ１４ｓ−２で減衰された高周波信号が入力される。衛星放送用チューナ部１５ｓ−３には、分配器１３ｓ−１および分配器１３ｓ−２で２回分配されてアッテネータ１４ｓ−３で減衰された高周波信号が入力される。
【００５１】
このように、異なる放送形式の放送波を受信するチューナ部１５を複数個設ける場合にも、各アッテネータ１４ｔおよび各アッテネータ１４ｓに設定する減衰量を、入力端子から各チューナ部１５までの距離の長さと反比例する値に設定する。すなわち、入力端子に近い位置に配置されたチューナ部１５に入力させる信号は大きく減衰させ、入力端子から遠い位置に配置されたチューナ部１５に入力させる信号は、中程度に減衰または減衰させない。このように構成することにより、各チューナ部に入力される高周波信号の信号レベルがすべて均一となる。これにより、図８に示すように、同じ種類の放送波を受信するチューナ同士を、回路基板１０の長辺に沿う横方向に並べて配置することもでき、受信装置自体の薄型化や小型化も図れるようになる。
【００５２】
また、上述した実施の形態では、各チューナ部１５をＩＣチップとして構成した例をあげたが、これに限定されるものではない。各チューナ部１５を、チップ化されていない集積回路として構成してもよい。
【００５３】
また、上述した実施の形態では、減衰器としてアッテネータ１４を用いた例をあげたが、これに限定されるものではない。抵抗性の素子であれば、どのような素子を用いてもよい。
【００５４】
また、上述した実施の形態では、高周波処理回路を、受信装置のチューナ部に適用した例をあげたが、これに限定されるものではない。例えば、携帯電話端末等の他の装置のチューナ部に適用してもよい。または、チューナ部ではなく、放送局から放送信号を受信する受信装置の受信回路等に適用してもよい。
【００５５】
また、上述した実施の形態では、高周波処理回路を、受信装置等に搭載される受信回路に適用した例をあげたが、例えば放送局において使用される送信装置の送信回路に適用してもよい。この場合は、分配器でなく混合器を用いて各高周波処理回路から送信された高周波信号を混合するようにし、かつ、出力端子の手前にアンプを配置して、各高周波処理回路から送信された高周波信号を増幅して出力するように構成すればよい。
【００５６】
なお、本開示は以下のような構成も取ることができる。
（１）高周波信号が入力される入力端子と、
前記入力端子に入力された前記高周波信号を増幅する高周波増幅器と、
前記高周波信号を分配する少なくとも１つの分配器と、
前記分配器で分配された各高周波信号がその信号入力部に入力されるまでの伝送経路長がそれぞれに異なる、複数の高周波処理回路と、
前記複数の各高周波処理回路の前段に設けられ、前記伝送経路長が短いほど大きな減衰量が設定された、複数の減衰器とを備えた回路基板。
（２）前記複数の各減衰器の前記減衰量は、複数の高周波処理回路の各信号入力部に入力される前記高周波信号の信号レベルがすべて等しくなる値に設定される（１）に記載の回路基板。
（３）前記複数の減衰器はアッテネータである（１）または（２）のいずれかに記載の回路基板。
（４）前記複数の減衰器は、前記複数の高周波処理回路の前記信号入力部の近辺に配置される（１）〜（３）のいずれかに記載の回路基板。
（５）前記入力端子に入力された前記高周波信号を増幅する高周波増幅器をさらに備えた（１）〜（４）に記載の回路基板。
（６）前記複数の高周波処理回路は、集積回路である（１）〜（５）のいずれかに記載の回路基板。
（７）前記複数の高周波処理回路は、当該回路基板の長辺に沿って配置される（１）〜（６）のいずれかに記載の回路基板。
（８）前記高周波処理回路の個数は少なくとも３つであり、前記分配器は、前記高周波増幅器から出力された前記高周波信号を分配する第１の分配器と、前記第１の分配器で分配された前記高周波信号をさらに分配する少なくとも１つの第２の分配器とを備える（１）〜（７）のいずれかに記載の回路基板。
【符号の説明】
【００５７】
１０…回路基板、１１…アンテナ入力端子、１１ａ…スルーホール、１１ｓ…衛星放送入力端子、１１ｔ…地上波入力端子、１２，１２ｓ，１２ｔ…ローノイズアンプ（ＬＮＡ）、１３，１３−１，１３−２，１３ｓ−１，１３ｓ−２，１３ｔ−１，１３ｔ−２、１４，１４−１，１４−２，１４−３，１４ｓ，１４ｓ−１，１４ｓ−２，１４ｓ−３，１４ｔ，１４ｔ−１，１４ｔ−２，１４ｔ−３…アッテネータ、１５，１５−１，１５−２，１５−２，１５−３…チューナ部、１５ａ，１５ａ−１…信号入力部、１５ｓ−１，１５ｓ−２，１５ｓ−３…衛星放送用チューナ部、１５ｔ−１，１５ｔ−２，１５ｔ−３…地上波用チューナ部、１６…出力端子
【図１】
0005664489.tif 000002
【図２】
0005664489.tif 000003
【図３】
0005664489.tif 000004
【図４】
0005664489.tif 000005
【図５】
0005664489.tif 000006
【図６】
0005664489.tif 000007
【図７】
0005664489.tif 000008
【図８】
0005664489.tif 000009